【手続補正書】
【提出日】平成21年12月18日(2009.12.18)
【手続補正１】
【補正対象書類名】明細書
【補正対象項目名】０００９
【補正方法】変更
【補正の内容】
【０００９】
図１０に示した色分解光学系１０１では、第１のプリズム１１０と第２のプリズム１２０とが空気間隔１１０ＡＧを空けて配置されているため、図１６にその概念を示したように、２つのプリズム間の空気界面で反射が生じ、不要なゴースト・フレアとなって画像品質が劣化する問題がある。これは、青色光反射ダイクロイック膜ＤＢ１を透過し、第２のプリズム１２０の入射面１２１で反射することにより生ずる。ここで、青色光は、青色光反射ダイクロイック膜ＤＢ１で反射されているため、第２のプリズム１２０の入射面１２１にはほとんど到達しない。また、前側に配置されたＩＲカットフィルタ１０３によって赤色光も低減されているので、赤色光は比較的少ない。従って、図１０のようなプリズム配置の場合、第２のプリズム１２０の入射面１２１には緑色光が最も多い。しかしながら、従来、反射防止膜ＡＲ１としては、図６（Ａ）にその特性を示したように、可視域全般に反射率を低減したものが使用されており、特に緑色光の波長領域（５００ｎｍ〜６００ｎｍ程度）の光の反射が十分に抑えられていない。このため、その波長領域の光の一部が、第２のプリズム１２０の入射面１２１で反射しやすい。そして、図１６に示したように、その反射光のうち、青色光反射ダイクロイック膜ＤＢ１を透過して第１のプリズム１１０に再入射した光Ｌ１が、青色用の撮像素子４Ｂに入射して像を結ぶことにより、正規の青色光ＬＢによる像に対して二重像として観察されてしまう。また、反射光のうち、第１のプリズム１１０の面１１１で反射され、第２のプリズム１２０に再入射した光Ｌ２は、（上述したように緑色光の波長領域の光が多いので）赤色光反射ダイクロイック膜ＤＲ１を透過して第３のプリズム１３０に入射し、最終的には緑色用の撮像素子４Ｇに入射して像を結ぶことにより、正規の緑色光ＬＧによる像に対して二重像として観察されてしまう。このように、従来では、第２のプリズム１２０の入射面１２１に反射防止膜ＡＲ１が施されているにもかかわらず、その反射率を低減する特性が不十分であるため、２つのプリズム間の空気界面での反射に起因してゴースト等が生ずる。
【手続補正２】
【補正対象書類名】明細書
【補正対象項目名】００３２
【補正方法】変更
【補正の内容】
【００３２】
ここで、プリズムの射出面にダイクロイック膜付きのトリミングフィルタを用いるような従来の色分解光学系（図１０）では、そのダイクロイック膜の特性として、波長選択的に反射率の高い波長域があるため、そのダイクロイック面と撮像面との間で多重反射が生じ、ゴースト・フレアとなって画像品質が劣化する問題がある。図１７は、一例として、従来の色分解光学系１０１において緑色光ＬＧを取り出す第３のプリズム１３０の射出面側で生ずる多重反射について示している。図１７に示したように、例えば、緑色用のトリミングフィルタ１５３を通過した緑色光ＬＧの一部が撮像素子４Ｇの撮像面４０１Ｇで反射され、その戻り光がトリミングフィルタ１５３のダイクロイック膜１５３Ａの波長選択特性に応じて反射される。このようにして多重反射光１６０が生じてゴースト・フレアとなる。このため、従来では、ゴースト・フレアを低減した形での理想的な分光特性を持つ撮像系の実現は困難であった。
【手続補正３】
【補正対象書類名】明細書
【補正対象項目名】００３６
【補正方法】変更
【補正の内容】
【００３６】
図８において、符号８１を付した特性曲線は、本実施の形態に係る色分解光学系１において、青色用の撮像素子４Ｂで観察される二重像を評価したものである。これは、青色光反射ダイクロイック膜ＤＢ２を透過した光のうち、第２のプリズム２０の入射面２１で反射し、かつ青色用の撮像素子４Ｂに到達する光（図１６の光Ｌ１に相当する光）の割合を示している。比較のために、第２のプリズム２０の入射面２１に従来の反射防止膜ＡＲ１を使用した場合の特性を符号８３を付した特性曲線に示す。これから分かるように、本実施の形態における界面反射防止用の反射防止膜ＡＲ２を使用した場合には、青色用の撮像素子４Ｂで観察される二重像の発生は大幅に低減される。
【手続補正４】
【補正対象書類名】明細書
【補正対象項目名】００３７
【補正方法】変更
【補正の内容】
【００３７】
また、図８において、符号８２を付した特性曲線は、本実施の形態に係る色分解光学系１において、緑色用の撮像素子４Ｇで観察される二重像を評価したものである。これは、青色光反射ダイクロイック膜ＤＢ２を透過した光のうち、第２のプリズム２０の入射面２１で反射し、かつ第１のプリズム１０の第２の面１２で反射され、第２のプリズム２０および第３のプリズム３０を透過して緑色用の撮像素子４Ｇに到達する光（図１６の光Ｌ２に相当する光）の割合を示している。比較のために、第２のプリズム２０の入射面２１に従来の反射防止膜ＡＲ１を使用した場合の特性を符号８４を付した特性曲線に示す。これから分かるように、本実施の形態における界面反射防止用の反射防止膜ＡＲ２を使用した場合には、緑色用の撮像素子４Ｇで観察される二重像の発生は大幅に低減される。
【手続補正５】
【補正対象書類名】明細書
【補正対象項目名】００４１
【補正方法】変更
【補正の内容】
【００４１】
図９において、符号９１を付した特性曲線は、図１０に示した従来の色分解光学系において本実施の形態における界面反射防止用の反射防止膜ＡＲ２を使用した場合の、青色用の撮像素子４Ｂで観察される二重像を評価したものである。これは、青色光反射ダイクロイック膜ＤＢ１を透過した光のうち、第２のプリズム１２０の入射面１２１で反射し、かつ青色用の撮像素子４Ｂに到達する光（図１６の光Ｌ１に相当する光）の割合を示している。比較のために、第２のプリズム１２０の入射面１２１に従来の反射防止膜ＡＲ１を使用した場合の特性を符号９３を付した特性曲線に示す。これから分かるように、図１０に示した従来の色分解光学系に適用した場合であっても、本実施の形態における界面反射防止用の反射防止膜ＡＲ２を使用した場合には、青色用の撮像素子４Ｂで観察される二重像の発生は大幅に低減される。
【手続補正６】
【補正対象書類名】明細書
【補正対象項目名】００４２
【補正方法】変更
【補正の内容】
【００４２】
また、図９において、符号９２を付した特性曲線は、図１０に示した従来の色分解光学系において本実施の形態における界面反射防止用の反射防止膜ＡＲ２を使用した場合の、緑色用の撮像素子４Ｇで観察される二重像を評価したものである。これは、青色光反射ダイクロイック膜ＤＢ１を透過した光のうち、第２のプリズム１２０の入射面１２１で反射し、かつ第１のプリズム１１０の面１１１で反射され、第２のプリズム１２０および第３のプリズム１３０を透過して緑色用の撮像素子４Ｇに到達する光（図１６の光Ｌ２に相当する光）の割合を示している。比較のために、第２のプリズム１２０の入射面１２１に従来の反射防止膜ＡＲ１を使用した場合の特性を符号９４を付した特性曲線に示す。これから分かるように、図１０に示した従来の色分解光学系に適用した場合であっても、本実施の形態における界面反射防止用の反射防止膜ＡＲ２を使用した場合には、緑色用の撮像素子４Ｇで観察される二重像の発生は大幅に低減される。
【手続補正７】
【補正対象書類名】図面
【補正対象項目名】図６
【補正方法】変更
【補正の内容】
【図６】
2008250123.tif 000001